(57)【要約】【課題】従来からある蛍光灯などの照明器具に取り付けて照明光を柔らかい光にすることのできる照明装置を提供する。【解決手段】本発明の照明装置１は、照明器具５の周囲に固定してある二対の固定金具２と、該固定金具２に取付けてある光拡散シート４とを備え、固定金具２は、一対を外側下方に傾斜した傾斜部２２を同一向きに固定し、他の一対を、それとは相反する向きに固定してあり、一対の固定金具２の先端に前記光拡散シート４を折り返す折り返し部材３を取り付け、一対の固定金具２の中間付近に前記折り返し部材３にて折り返された前記光拡散シート４の端部を係止してある構成を備えたことを特徴とする。【選択図】図１
2010073435.tif 000002
【特許請求の範囲】
【請求項１】
照明器具の周囲に固定してある二対の固定金具と、該固定金具に取付けてある光拡散シートとを備えた照明装置であって、固定金具は、一対を外側下方に傾斜した傾斜部を同一向きに固定し、他の一対を、それとは相反する向きに固定してあり、一対の固定金具の先端に前記光拡散シートを折り返す折り返し部材を取り付け、一対の固定金具の中間付近に前記折り返し部材にて折り返された前記光拡散シートの端部を係止してある構成を備えた照明装置。
【請求項２】
前記光拡散シートの端部を巻き付けて一対の固定金具の中間付近に係止してある請求項１に記載の照明装置。
【請求項３】
前記固定金具は、照明器具の周囲に固定する固定部と、該固定部から下方に傾斜した傾斜部と、該傾斜部の先端に前記光拡散シートを折り返す折り返し部材を取り付け可能な取付部と、前記傾斜部の中間付近に前記光拡散シートの端部に設けた棒状の係合部を係止可能な係止部とを備えた構成とした請求項１又は２に記載の照明装置。
【請求項４】
照明器具の周囲に固定する固定部と、該固定部から下方に傾斜した傾斜部と、該傾斜部の先端に前記光拡散シートを折り返す折り返し部材を取り付け可能な取付部と、前記傾斜部の中間付近に前記光拡散シートの端部に設けた棒状の係合部を係止可能な係止部とを備えた光拡散シート張付用固定金具。
【発明の詳細な説明】
【技術分野】
【０００１】
本発明は、従来からある蛍光灯などの照明器具に取り付けて柔らかな照明光にすることができる照明装置に関する。
【背景技術】
【０００２】
天井面などに複数の蛍光灯などの光源を配し、その下方にガラス繊維シートなどの光拡散シートを設け、柔らかな照明光にする照明装置がある。このような照明装置は、照明光が柔らかくなるだけでなく、蛍光灯などが外部から視認できなくなるため、外観に優れたものとなる（下記特許文献１参照）。
【０００３】
【特許文献１】特開２０００−１０６０２５号公報
【発明の開示】
【発明が解決しようとする課題】
【０００４】
上記特許文献１に記載の照明装置は、天井から固定フレームを吊るし、その下面に光拡散シートを張り付けた矩形状枠の照明カバーを固定して取り付けできるようにしたものである。
このような照明装置を、新設する建築物などに取り付ける場合は、照明装置に合わせて施工すればよいので問題はないが、既存の建築物に取り付けたい場合は、天井全体を改修しなければならず、施工し難いものであった。
【０００５】
そこで、本発明の目的は、従来からある蛍光灯などの照明器具に取り付けて照明光を柔らかい光にすることのできる照明装置を提供するものである。
【課題を解決するための手段】
【０００６】
本発明の照明装置は、照明器具の周囲に固定してある二対の固定金具と、該固定金具に取付けてある光拡散シートとを備えた照明装置であって、固定金具は、一対を外側下方に傾斜した傾斜部を同一向きに固定し、他の一対を、それとは相反する向きに固定してあり、一対の固定金具の先端に前記光拡散シートを折り返す折り返し部材を取り付けてあり、一対の固定金具の中間付近に前記折り返し部材にて折り返された前記光拡散シートの端部を係止してある構成を備えたことを特徴とする。
【０００７】
本発明は、固定金具を蛍光灯などの照明器具の周囲に固定し、これにガラス繊維クロスなどの光拡散シートを張ることにより、既に設置済みの照明器具に対しても取り付けることができ、照明光を柔らかな光にすることができる。また、光拡散シートを折り返して端部を裏側内方に係止するようにしたので、光拡散シートの端部は外部から見えにくくなり外観に優れたものとなる。
【０００８】
前記光拡散シートの端部は巻き付けて一対の固定金具の中間付近に係止するのが好ましい。
【０００９】
このようにすることにより、光拡散シートに張力を付与させて照明面を略平面状にすることができ、外観に優れた照明装置になる。
【００１０】
前記固定金具は、照明器具の周囲に固定する固定部と、該固定部から下方に傾斜した傾斜部と、該傾斜部の先端に前記光拡散シートを折り返す折り返し部材を取り付け可能な取付部と、前記傾斜部の中間付近に前記光拡散シートの端部に設けた棒状の係合部を係止可能な係止部とを備えた構成とすることができる。
【００１１】
このような固定金具を用いることにより、従来の照明器具に対して光拡散シートを着脱可能にすることができる。
【発明を実施するための最良の形態】
【００１２】
以下、本発明の照明装置を、一実施形態に基づいて説明する。
【００１３】
本発明の一実施形態の照明装置１は、図１又は２に示すように、天井面６に取り付けてある照明器具５の四隅に固定金具２を固定し、並行した一対の固定金具２の先端に折り返し部材３を架け渡すように取り付け、固定金具２に光拡散シート４を張り付けたものである。
【００１４】
固定金具２は、左右対称のものを一対として照明器具５の周囲に二対設けてあり、図３に示すように、固定部２１と、固定部２１から下方に傾斜した傾斜部２２とを備えており、固定部２１は、側方に開口部２１ａを有する断面コ字状に形成してあり、図２に示すように、開口部２１ａを、照明器具５の縁部に嵌め込み、下面２１ｂに設けた孔部２１ｃにビス７を締結して照明器具５に固定できるようにしてある。
傾斜部２２は、先端に取付部２３と、中間付近に係止部２４とを備えている。
取付部２３は、先端を二股状に形成し、折り返し部材３を取り付けることができるようにしてある。
係止部２４は、傾斜部２２に対して垂直に突出し、その先端を傾斜部２２と並行するように上向きに折り曲げて形成し、光拡散シート４の端部の係合部４１を係止できるようにしてある。
【００１５】
折り返し部材３は、図４に示すように、円筒状に形成してあり、両端部側には、切り欠き部３１を設けてあり、切り欠き部３１に取付部２３を挿し込み、両端部にキャップ３２を嵌め込み、一対の固定金具２間に架け渡すように取り付けることができるようにしてある。
【００１６】
光拡散シート４は、適度な透光性と隠蔽性を発揮しうる光拡散性のもので、かつ、固定金具２に張り付けて使用することができる適度な柔軟性及び耐屈曲性を有するものを使用することができる。なかでも、透光性の無機質繊維クロスに耐熱透光性樹脂シートを積層したシートが、耐熱性、不燃性、防汚性に優れていて好ましく用いることができる。この無機質繊維クロスとしては、ガラス繊維クロスなどを好ましく用いることができ、耐熱透光性樹脂シートとしては、フッ素樹脂シート、テフロン（登録商標）樹脂シート、シリコン樹脂シートなどを好ましく用いることができる。
光拡散シート４の端部には、図４に示すように、係合部４１が設けてあり、係合部４１は、両端を円盤状に膨出させた角棒からなり、光拡散シート４を巻き付けながら、一対の固定金具２の係止部２４間に架け渡すように係止できるようにしてある。
【００１７】
照明器具５は、従来からある構造のものであり、図１又は２に示すように、下方に開口した矩形箱型の覆い部５１内に二本の蛍光管５２を配してあり、天井面６に形成した開口部に嵌め込み固定されている。
【００１８】
以下、本発明の照明装置１の取り付け手順の一例を説明する。
図４に示すように、左右対称の一対の固定金具２を、並行させて傾斜部２２を外向きに配し、開口部２１ａを、上面２１ｄを天井面６と照明器具５との間に挟み込ませながら照明器具５の一端側の縁部に嵌め込み、下方から孔部２１ｃにビス７を締結して固定する。
次に、他の一対の固定金具２を、傾斜部２２が先に取り付けた固定金具２の傾斜部２２とは逆向きになるように配して、上記と同様に照明器具５の他端側の縁部に固定する。
折り返し部材３の切り欠き部３１に取付部２３を挿入し、折り返し部材３１の両端部をキャップ３２で塞ぎ、折り返し部材３を一対の固定金具２間に架け渡すように取り付ける。
【００１９】
そして、係合部４１に光拡散シート４を巻き付けて適宜長さに調整して、図４に示すように、光拡散シート４を照明器具５の下方に配し、シート４の端部を、折り返し部材３の外周面に巻き付けるようにして折り返し（図４の矢印方向）、係合部４１を、一対の固定金具２の係止部２４間に架け渡すように係止して、光拡散シート４を照明器具５の下方に張ることができる。
【００２０】
このように、本発明の照明装置は、従来からある照明器具の下方に光拡散シートを容易に張ることができ、照明光を柔らかい光にすることができる。また、上記と逆の手順で取り外すことができ、着脱容易なものである。
さらに、光拡散シートの端部は、折り返し部材にて内方に折り返して係止してあるので、外側から見えにくく外観のよいものである。
【００２１】
上記照明装置１は図５に示すように変形することもでき、これは、取付部２３ａを傾斜部２２に対して垂直上方に折り曲げて形成し、折り返し部材３に長孔３１ａを設けてあり、取付部２３ａを長孔３１ａに挿し込むことにより、折り返し部材３１ａを固定金具２に取り付けできるようにしてある。
【図面の簡単な説明】
【００２２】
【図１】本発明の一実施形態の照明装置の縦断面図である。
【図２】図１の照明装置の横断面図である。
【図３】図１の照明装置の構成部品である固定金具を示し、（ａ）は斜視図、（ｂ）は側面図である。
【図４】図１の照明装置の分解斜視図である。
【図５】本発明の照明装置の変形例を示した分解斜視図である。
【符号の説明】
【００２３】
１照明装置  ２固定金具  ２１固定部  ２１ａ開口部  ２１ｂ下面  ２１ｃ孔部  ２１ｄ上面  ２２傾斜部  ２３取付部  ２４係止部  ３折り返し部材  ３１切り欠き部  ３２キャップ  ４光拡散シート  ４１係合部  ５照明器具  ５１覆い部  ５２蛍光管  ６天井面  ７ビス
【図１】
2010073435.tif 000003
【図２】
2010073435.tif 000004
【図３】
2010073435.tif 000005
【図４】
2010073435.tif 000006
【図５】
2010073435.tif 000007